(57)【要約】【課題】必要を感じた様々な場面で、希望する保障金額をもって、何時何処からでも瞬時に時間単位での保険契約を容易に成立させることのできる保険契約システムの実現を図る。【解決手段】ユーザー側情報端末と、契約管理サーバと、保険引受会社のホストコンピュータによってネット構成し、保険料の支払精算を固有の識別番号が付されたプリペイド証票媒体をもってする保険契約システムであって、契約管理サーバには会員データベース、保険種別データベース、加入申込データーベース、保険契約データベース、プリペイド証票媒体データベース及び履歴データーベースが備えられ、これらデータベース群の各種情報とユーザー側情報端末から送信される契約申込情報とに基づき保険契約を成立させる時間設定型プリペイド式保険契約システムとする。【選択図】  図１
2004220454.tif 000002
【特許請求の範囲】
【請求項１】
ユーザー側情報端末と、契約管理サーバと、保険引受会社のホストコンピュータによってネット構成し、保険料の支払精算をプリペイド証票媒体をもってする保険契約システムであって、契約管理サーバには被保険者となる会員毎の会員属性情報が格納された会員データベース、保険種別毎の保険属性情報が格納された保険種別データベース、加入申込毎の加入申込情報が格納された加入申込データーベース、保険契約毎の保険契約情報が格納された保険契約データベース、プリペイド証票媒体毎の証票媒体属性情報が格納されたプリペイド証票媒体データベース及び会員毎の履歴情報が格納された履歴データーベースが備えられ、これらデータベース群の各種情報とユーザー側情報端末から送信される契約申込情報とに基づき時間単位での保険契約を成立させことを特徴とする時間設定型プリペイド式保険契約システム。
【請求項２】
前記プリペイド証票媒体データベースには、証票種別、販売価格、発行日、発行会社、販売代理店、使用履歴、使用可能残金等の証票媒体属性情報がプリペイド証票媒体毎に固有の証票媒体識別番号が付されて格納され、使用履歴及び使用可能残額が契約成立の度に自動更新されることを特徴とする請求項１に記載の時間設定型プリペイド式保険契約システム。
【請求項３】
前記プリペイド証票媒体が、プラスチック板、ラミネート加工紙又は通常紙材等を素材としたアナログ式のカードであって、プリペイド証票媒体データベースに記憶されている証票媒体属性情報に対応する証票媒体識別番号、販売価格、発行日及び発行会社と、契約管理サーバにアクセスするためのホームページＵＲＬが記載され、異なる定価をもって複数種発行されるものであることを特徴とする請求項１及び請求項２に記載の時間設定型プリペイド式保険契約システム。
【請求項４】
前記プリペイド証票媒体に記載される証票媒体識別番号がスクラッチ加工印刷等の手段によって表出可能に隠蔽されていることを特徴とする請求項３に記載の時間設定型プリペイド式保険契約システム。
【請求項５】
前記プリペイド証票媒体が、ＣＤ−ＲＯＭ、メモリステック、メモリカートリッジ又はメモリカード等のデジタル式の小型電子情報記憶媒体であって、プリペイド証票媒体データベースに記憶されている証票媒体属性情報に対応する証票媒体識別番号、販売価格、発行日及び発行会社と、契約管理サーバにアクセスするためのホームページＵＲＬが記憶され、異なる定価をもってそれぞれ複数種発行されるものであることを特徴とする請求項１及び請求項２に記載の時間設定型プリペイド式保険契約システム。
【発明の詳細な説明】
【０００１】
【発明の属する技術分野】
本発明は、インターネット等の通信回線を介し、ＰＣ（パーソナルコンピュータ）、携帯電話又は車載カーナビ等のユーザー側情報端末から契約管理サーバに送信される契約申込情報に基づき、時間単位での保険契約を成立させ、保険料の支払精算をプリペイド証票媒体をもってすることを特徴とする時間設定型プリペイド式保険契約システムに関する。
【０００２】
【従来の技術】
保険契約処理の従来型手順は、先ず、保険外交員による保険内容についての説明や打ち合わせを経て契約意思の確認をとり、被保険者や保険金受取人の住所、氏名、年齢、性別等を記入し捺印することによって保険申込証書を作成し、初期の保険料を受取り領収書を発行すると共に、以降の保険料支払い方法を定め、銀行口座引き落としとした場合には所定の引き落とし手続をとる。次いで、上記保険申込書に基づき保険契約内容に関する全てのデータを管理コンピュータに入力し、これを保険引受会社のホストコンピュータに送信し、保険引受会社は該受信データに基づいて保険証書を発行するのが通例である。
【０００３】
このような従来型の保険契約処理にあっては、煩雑な契約手続を要するので利便性、容易性に欠け、また、契約希望から契約発効までにそれなりの日数を要するので即刻性に欠け、これらが原因となって、従来の保険商品は、保障対象、保険金額及び保障期間等があらかじめ定められているのが一般的で、必要な際に時間単位でリスク保障がされた保険商品の提供を極めて困難なものとしている。
【０００４】
例えば、車を運転する、ゴルフやスキーをする、他人の子やペットを預かる等の場面でのリスク保障は、年間を通して常時必要なものではなく、実際に車を運転したり、ゴルフやスキーをしたり、他人の子やペットを預かったりする時間帯に限って必要とされるもので、また、リスク保障が求められる場面もこれらに限られず様々である。にも拘わらず、従来型の保険商品にあっては、保障の対象、期間及び金額等が予め定められているため、ユーザー（加入者）としては、事前に自己の生活行動に合わせて様々なリスク場面を想定し、そのリスクヘッジを考え、何種類もの保険に加入しておかなければならず、また、その加入期間は、保障を必要としない期間も含めて通年契約にしておかなければならない等、極めて非効率的な保険契約となっているのが実状である。
【０００５】
【発明が解決しようとする課題】
本発明は、上記従来の保険契約の実状に鑑みなされたもので、必要を感じた様々な場面で、希望する保険金額をもって、何時何処からでも瞬時に加入することができ、しかも、時間単位での保険契約を成立させることが可能なプリペイド式保険契約システムを提供することを課題とする。
【０００６】
【課題を解決するための手段】
上記課題を解決するため、本発明に係る保険契約システムにあっては、
ユーザー側情報端末と、契約管理サーバと、保険引受会社のホストコンピュータによってネット構成し、保険料の支払精算をプリペイド証票媒体をもってする保険契約システムであって、契約管理サーバには会員毎の会員属性情報が格納された会員データベース、保険種別毎の保険属性情報が格納された保険種別データベース、加入申込毎の加入申込情報が格納された加入申込データーベース、契約毎の保険契約情報が格納された保険契約データベース、プリペイド証票媒体毎の証票媒体属性情報が格納されたプリペイド証票媒体データベース及び会員毎の履歴情報が格納された履歴データーベースが備えられ、これらデータベース群の各種情報とユーザー側情報端末から送信される契約申込情報とに基づき時間単位での保険契約を成立させるプリペイド式保険契約システムとする。
【０００７】
プリペイド証票媒体データベースには、証票種別、販売価格、発行日、発行会社、販売代理店、使用履歴、使用可能残金等の証票媒体属性情報がプリペイド証票媒体毎に固有の証票媒体識別番号が付されて格納され、使用履歴及び使用可能残額は契約成立の度に自動更新可能とする。
【０００８】
前記プリペイド証票媒体を、プラスチック板、ラミネート加工紙又は通常紙材等を素材としたアナログ式のカード媒体、若しくはＣＤ−ＲＯＭ、メモリステック、メモリカートリッジ又はメモリカード等のデジタル式の小型電子情報記憶媒体とし、これら媒体にはプリペイド証票媒体データベースに記憶されている証票媒体属性情報に対応する証票媒体識別番号、販売価格、発行日及び発行会社と、契約管理サーバにアクセスするためのホームページＵＲＬを記載し、それぞれ異なる定価をもって複数種発行されるものであることとし、該媒体がアナログ式のカード媒体である場合にあっては、記載される証票媒体識別番号をスクラッチ加工印刷等の手段によって表出可能に隠蔽しておく。
【０００９】
【発明の実施の形態】
以下、図面を参照して本発明の実施の一形態を説明する。
本発明に係る保険契約システムは、インターネット上に開設された保険契約処理サイトに、保険加入を希望するユーザー側がアクセスし、必要事項を入力送信するとともに、事前に取得したプリペイド証票媒体をもって保険料（掛け金）を支払精算することを基本とする。
【００１０】
図１は、本発明に係る本実施形態の概略構成を示したブロック図で、インターネット等の通信回線網１０を介し、ＰＣ、携帯電話又は車載カーナビ等からなるユーザー側情報端末２０と、通信交換機能とサーバ機能とを併せ持つ契約管理サーバ３０とを構成要素とし、契約管理サーバ３０は保険引受会社のホストコンピュータ４０に接続され、必要情報をリアルタイムで相互に送受信できるように構成されている。
【００１１】
図２は、契約管理サーバ３０の要部ブロック図で、契約管理サーバ３０は、送受信手段、入出力手段、記憶手段、演算手段及び制御手段等の各手段を有し、予めプログラミングされた手順や手法に従って情報処理及び演算処理が行われるようシステム設計された通信機能とサーバ機能を備えたコンピュータ装置で、会員データベース３１と、保険種別データベース３２と、加入申込データベース３３と、保険契約データベース３４と、プリペイド証票媒体データベース３５と、履歴データベース３６からなるデータベース群を有し、電子メール送信装置３７とプリンター装置３８等が適宜付設されている。
【００１２】
図３は、データベース化された各情報の具体的な内容を示す情報ファイル構成図で、会員データベース３１には、登録会員を特定するための住所、氏名、生年月日、性別、携帯電話番号、メールアドレス、免許番号等の会員属性情報（Ａ）が、固有の会員番号とユーザーＩＤが付されてパスワードとともに会員毎にファイル生成され記憶格納されている。
【００１３】
また、保険種別データベース３２には、保険種別を特定するため、対象事故、引受保険会社、保険料、保険金、保険金支払料率、約款、特約等の保険属性情報（Ｂ）が固有の保険種別番号が付されて保険種別毎にファイル生成され記憶格納されている。なお、保険種別としては、車両運転保険、車両同乗保険、スキー保険、ゴルフ保険、ホールインワン保険、サーフィン保険などの多種多様な保険が考えられる。
【００１４】
また、加入申込データベース３３には、ユーザー側情報端末２０から受信した申込日時、申込保険種別、申込保険金額、申込保険適用期間等の加入申込情報（Ｃ）が固有の申込番号が付され、そして、前記会員属性情報（Ａ）、保険属性情報（Ｂ）及び後述する履歴情報（Ｆ）と関連付けられて申込毎にファイル生成され記憶格納されいる。
【００１５】
また、保険契約データベース３４には、正式に成立した保険契約内容を特定するため、契約当事者、契約日時、契約保険種別、契約保険金額、契約保険適用期間等の保険契約情報（Ｄ）が固有の契約番号が付され、そして、前記会員属性情報（Ａ）、保険属性情報（Ｂ）、加入申込情報（Ｃ）、後述するプリペイド証票媒体情報（Ｅ）及び履歴情報（Ｆ）と関連付けられて契約毎にファイル生成し記憶格納されている。
【００１６】
また、プリペイド証票媒体データベース３５には、発行販売したプリペイド証票媒体５０を特定するための証票種別、販売価格、発行日、使用履歴、未使用残額、発行会社、販売代理店等の証票媒体属性情報（Ｅ）が固有の証票媒体識別番号が付され、そして、前記会員属性情報（Ａ）、保険属性情報（Ｂ）、加入申込情報（Ｃ）、保険契約情報（Ｄ）及び後述する履歴情報（Ｆ）と関連付けられて契約毎にファイル生成され記憶格納されている。
【００１７】
また、履歴データベース３６には、登録会員の加入申込履歴、保険契約履歴、発生事故と支払保険金等の履歴情報（Ｆ）を会員毎にファイル生成して記憶格納されており、会員番号、ユーザーＩＤ、申込番号、契約番号の何れをキーとしても検索可能とされている。
【００１８】
プリペイド証票媒体５０は、予め定められた掛け金に相当する複数種類の定価（１０００円、３０００円、５０００円、１００００円等）をもって事前に発行販売されるもので、媒体種類としては、通常のプリペイドカード（アナログ式媒体）のほか、ユーザー側情報端末２０の様々な種類や機種に対応するようＣＤ−ＲＯＭ、メモリステック、メモリカートリッジ又はメモリカード等の小型電子情報記憶媒体（デジタル式媒体）が用いられ、販売価格、証票媒体識別番号、発行日、発行会社、販売会社等のプリペイド証票媒体データベース４４に記憶されている証票媒体属性情報（Ｅ）に対応する項目情報のほか、契約管理サーバ３０にアクセスするための接続電話番号、メールアドレス、ホームページＵＲＬ及び利用方法等が記載又は記憶されている。そして、該媒体がアナログ式のカード媒体である場合にあっては、印刷された証票媒体識別番号をスクラッチ加工等の手段によって表出可能に隠蔽しておくのが好ましい。
【００１９】
このプリペイド証票媒体５０を、通常のアナログ式のプリペイドカードを例にして更に詳細に説明すると（図４参照）、該プリペイドカード（プリペイド証票媒体）５０は、会員登録、加入申込及び保険契約の前提となるもので、予め保険引受会社若しくはこれとは別に存在する発行元会社によって発行され、複数種類の掛け金限度額価格にて販売される。素材形状としては、耐用性を高め携帯を容易にするため、やや硬質のプラスチック板を名刺大若しくはキャシュカード大に成形加工したものを用いるが好ましいが、ラミネート加工紙又は単なる紙材であってもよく、特に磁気記録部などを必要としない。
【００２０】
そして、このプリペイドカード５０には、証票媒体識別番号表示欄５１、販売価格表示欄５２、発行日表示欄５３、発行会社表示欄５４、販売会社表示欄５５が設けられているほか、契約管理サーバ３０にアクセスするための接続電話番号表示欄５６、メールアドレス表示欄５７、ホームページＵＲＬ表示欄５８及び利用方法表示欄５９や注意事項表示欄６０が設けられ、更に、利用者が購入後に補充する氏名記載欄６１、住所記載欄６２、電話番号記載欄６３及び会員番号記載欄６４等の各記載欄が適宜に設けられている。
【００２１】
尚、証票媒体としてＣＤ−ＲＯＭ、メモリステック、メモリカートリッジ又はメモリカード等のデジタル式の記憶媒体が用いられ場合でも、原理的には前記アナログ式のプリペイドカードを用いた場合と同様で、当然のことながら、証票媒体識別番号乃至販売会社、接続電話番号、ホームページＵＲＬ及び利用方法や注意事項は予め記憶されており、ユーザー側情報端末２０にこれらのデジタル式記憶媒体（プリペイド証票媒体）５０を装填出力した際にはディスプレィ画面に表示され、利用者が購入後に補充する氏名乃至会員番号等の補充事項もディスプレィ画面より入力可能とされている。
【００２２】
次ぎに、本発明システムによる保険加入手順について、ユーザー側情報端末２０がＰＣである場合を例にして説明する。
【００２３】
本発明システムよる保険契約希望者は、前提として会員登録をする。この会員登録手順を図５のフローチャートに基づいて説明すると、先ず、プリペイド証票媒体５０を所持する保険契約希望者がユーザー側情報端末２０（ＰＣ）によって契約管理サーバ３０にインターネット回線を介して接続する（Ｓｔ１）と、図６に示すようなＴＯＰ画面が表示され、該画面より「会員登録」欄を選択する（Ｓｔ２）と、図７に示すような規約画面が表示され、該画面に表示された入会規約及び利用規約等を確認したうえで「同意」欄を選択する（Ｓｔ３）と、図８に示すような個人情報入力画面が表示され、該画面より氏名、住所、生年月日、性別、電話番号、メールアドレス等の各種個人情報を入力し（Ｓｔ４）、これを契約管理サーバ３０に送信する（Ｓｔ５）。
【００２４】
ユーザー側情報端末２０より上記個人情報を受信した契約管理サーバ３０は、送信されてきた該個人情報を保険引受会社のホストコンピュータ５０に送信し（Ｓｔ６）、これを受信した保険引受会社は登録申込内容（該個人情報）が審査基準（年齢制限等）を満たしているか否かを審査し（Ｓｔ７）、不承認の場合にはその理由を付け承認、不承認の審査結果を契約管理サーバ３０に送信する（Ｓｔ８）。
【００２５】
上記審査結果を受信した契約管理サーバ３０は、審査結果が承認の場合にあっては、ユーザーＩＤ、会員番号及びパスワ−ドを付して該個人情報を会員属性情報（Ａ）として会員データベース３１に記憶格納し（Ｓｔ９）、同時に審査結果と登録内容をユーザー側情報端末２０に送信する（Ｓｔ１０）。なお、審査結果が不承認の場合にあっては、その理由を付して登録不成立であったことをユーザー側情報端末２０に送信する。これによって会員登録は完了するものであるが、事後的に会員宛に登録内容を記載した会員証、会員規約、利用規約、各種保険の説明資料等を郵送する（Ｓｔ１１）。
【００２６】
上記登録会員の個人情報を追加・変更する場合には、該登録会員が適宜ユーザー側情報端末２０より契約管理サーバ３０にアクセスし（Ｓｔ１２）、ユーザーＩＤ又は会員番号とパスワ−ドをを用いて変更情報又は追加情報を入力（Ｓｔ１３）し、送信し（Ｓｔ１４）、これに基づき契約管理サーバ３０が会員データベース３１に記憶格納されている当該会員の会員属性情報（Ａ）を追加・変更して更新し（Ｓｔ１５）、更新後の登録内容については追って書面をもって通知する（Ｓｔ１６）。
【００２７】
続いて、本発明システムよる保険契約処理の手順について図９のフローチャートに基づいて説明すると、会員登録を済ませた保険契約希望者は手持ちのプリペイド証票媒体５０を用意し、ユーザー側情報端末２０によって契約管理サーバ３０にインターネット回線を介して接続する（Ｓｔ１７）。最初にＴＯＰ画面（図６）が現れ、利用規約や保険規約を理解していることを前提に（確認してない場合には、送付された印刷物又は規約画面を閲覧するよう促される。）該画面より「保険加入申込」欄を選択する（Ｓｔ１８）と、図１０に示すような保険種類選択画面が表示される。
【００２８】
この保険種類選択画面に示された各種保険のうち希望する保険種類（例えば「車両運転」）を選択する（Ｓｔ１９）と、図１１に示すような保険申込画面が表示され、該画面より用意したプリペイド証票媒体５０（複数であっても良い。）の証票媒体識別番号、ユーザーＩＤ、会員番号、パスワード並びに希望する保険適用の時間帯と希望保険金額を入力し（Ｓｔ２０）、これを契約管理サーバ３０に送信する（Ｓｔ２１）。
【００２９】
この申込情報を受信した契約管理サーバ３０は、ユーザーＩＤ、会員番号及びパスワードを照合し（Ｓｔ２２）、会員データベース３１より当該申込会員の会員属性情報（Ａ）を検索抽出し（Ｓｔ２３）、保険種別データベース３２から申込があった保険属性情報（Ｂ）を検索抽出し、該当保険種類に対応する保険料を保険適用の時間帯と希望保険金額から算出し（Ｓｔ２４）、更に、送信されてきた証票媒体識別番号からプリペイド証票媒体データベース４４に記憶されている該当プリペイド証票媒体５０の証票媒体属性情報（Ｅ）を検索抽出して証票媒体の未使用合計残高を算出する（Ｓｔ２５）。そして、これらの抽出情報及び算出情報をユーザー側情報端末２０に送信する（Ｓｔ２６）。
【００３０】
上記抽出情報及び算出情報を受信したユーザー側情報端末２０にあっては、保険申込画面（図１１）にプリペイド証票媒体５０の各証票媒体毎の現残高と合計現残高及び契約後の各証票媒体毎の仮残高と合計仮残高が表示される。この際、プリペイド証票媒体５０の合計現残高が契約するためには不足している場合には、新たなプリペイド証票媒体５０の証票媒体識別番号を入力するか、或いは、保険適用時間帯を短縮するなどして金額的な契約可能条件を整え、訂正した申込情報を再度契約管理サーバ３０に送信する（Ｓｔ２０〜Ｓｔ２６）。これを確認する（Ｓｔ２７）と、図１２に示すような仮保険契約書画面が表示され、該画面より契約申込内容を承認して契約管理サーバ３０に送信する（Ｓｔ２８）。
【００３１】
ユーザー側情報端末２０より上記契約申込を受信した契約管理サーバ３０は、送信されてきた該契約申込情報を保険引受会社のホストコンピュータ５０に送信し（Ｓｔ２９）、これを受信した保険引受会社は契約申込内容（該契約申込情報）が審査基準（事故率等）を満たしているか否かを審査し（Ｓｔ３０）、申込不受理の場合にはその理由を付け、申込受理又は申込不受理の審査結果を契約管理サーバ３０に送信する（Ｓｔ３１）。
【００３２】
審査結果を受信した契約管理サーバ３０は、その審査結果が契約申込受理の場合にあっては、契約番号を付して該契約内容を保険契約情報（Ｄ）として契約データベース４２に記憶格納する（Ｓｔ３２）とともに、プリペイド証票媒体データベース４５に記憶されている使用された各プリペイド証票媒体５０の使用可能残高を更新する（Ｓｔ３３）。同時に、保険契約内容を示した電子契約書と、各プリペイド証票媒体５０の残高をユーザー側情報端末２０に送信する（Ｓｔ３４）。また、審査結果が契約不成立の場合にあっては、その理由を付して契約が不成立であったことを送信する。これによって保険契約の締結は完結し、保険開始時刻になると保険が適用される。
【００３３】
尚、契約成立の必須要件ではないが、ユーザー側は締結した契約内容（契約書画面）をユーザー側情報端末２０に記憶（ダウンロード）させておくかプリントアウトしておくのが良く、また、契約管理サーバ３０より保険適用の開始時刻及び終了時刻に、適用開始又は適用終了を告げる電子メールがユーザー側情報端末２０（ＰＣ）及び携帯電話にそれぞれ送信される（Ｓｔ３５）。これらの契約履歴は定期的に書面をもって通知されるとともに、その具体的な契約内容は契約管理サーバ３０のホームペ−ジから常時閲覧可能とされている。。
【００３４】
本発明に係る保険処理システムでの保険金の受取にあたっては、保険契約を特定できる何等かの番号（会員番号、ユーザーＩＤ、使用したプリペイド証票媒体の証票媒体識別番号）の提示と、死亡証明書、交通事故証明書、診断書等の事故発生事実（支払原因）を証明する書面と、必要であれば、被事故者（保険者）の住民票や身分証明書（免許書等）を保険引受会社に提出すればよい。
【発明の効果】
【００３５】
以上のように、本発明にあっては煩雑な契約手続を要せず、ユーザー側情報端末から送信されてきた保険申込情報に基づき保険契約を即時に発効でき、また、その保険対象、保険金額、保険期間も予め特定されたものではなく、多様な組み合わせで任意に選択決定することができ、更に、必要とする時や場面で時間単位での保険に加入することができるため、利便性、容易性、即刻性に優れているとともに、極めて効率的な保険契約とすることができる。
【００３６】
また、保険料の支払は、プリペイド証票媒体の購入によって完結され、従来のように複雑で面倒な保険料の支払受取手続を必要とせず、従来頻繁に生じていた保険料未納時の事故に関する問題も発生しない。
【００３７】
また、プリペイド証票媒体の購入時点では、保険契約は未成立なので、プリペイド証票媒体の購入者は、保険契約者以外の第三者であってもよく、また、個人であるか団体であるかを問わない。従って、贈答用若しくは記念品として多数一括して購入することも可能であるため、保険加入の拡充を図ることができる。
【００３８】
また、ユーザー側からの情報端末による簡単な入力送信によって、自動的に保険契約が締結され、その内容も容易に特定、記憶及び管理することができので、保険会社又は保険代理店による新たなデータ入力を必要とせず、契約処理経費を大幅に削減することができる。
【図面の簡単な説明】
【図１】本発明による保険契約システムの概要構成を示すブロック図。
【図２】本発明による保険契約システムにおける契約管理サーバの要部ブロック図。
【図３】本発明による保険契約システムにおける契約管理サーバのデータベースに記憶格納される各情報の具体的なすファイル内容構成図。
【図４】本発明による保険契約システムで用いるプリペイド式証票媒体がプリペイドカードである場合のその一例を示す表裏面図。
【図５】本発明による保険契約システムを利用する場合における会員登録の手順を示したフローチャート。
【図６】本発明による保険契約システムにおける契約管理サーバのトップ画面の説明図。
【図７】本発明による保険契約システムにおける契約管理サーバの規約画面の説明図。
【図８】本発明による保険契約システムにおける契約管理サーバの入会申込画面の説明図。
【図９】本発明による保険契約システムを利用して保険契約を締結する際の手順を示したフローチャート。
【図１０】本発明による保険契約システムにおける契約管理サーバの保険選択画面の説明図。
【図１１】本発明による保険契約システムにおける契約管理サーバの保険加入申込画面の説明図。
【図１２】本発明による保険契約システムにおける契約管理サーバの保険契約書画面の説明図。
【符号の説明】
１０：インターネット回線網
２０：ユーザー側情報端末
３０：契約管理サーバ
３１：会員データベース
３２：保険種別データベース
３３：加入申込データベース
３４：保険契約データベース
３５：プリペイド証票媒体データベース
３６：履歴データベース
４０：保険引受会社ホストコンピュータ
５０：プリペイド証票媒体
５１：証票媒体識別番号表示欄
【図１】
2004220454.tif 000003
【図２】
2004220454.tif 000004
【図３】
2004220454.tif 000005
【図４】
2004220454.tif 000006
【図５】
2004220454.tif 000007
【図６】
2004220454.tif 000008
【図７】
2004220454.tif 000009
【図８】
2004220454.tif 000010
【図９】
2004220454.tif 000011
【図１０】
2004220454.tif 000012
【図１１】
2004220454.tif 000013
【図１２】
2004220454.tif 000014